(57)【要約】【課題】所定の位置に位置決めされた筐体の位置ずれを確実に阻止することを可能とし、これによってフィルム画像を安定的に撮像し得るようにする。【解決手段】光源部３０および受光部５０を備えた可動ユニット２０と、２種類の写真フィルムＦを搬送する搬送ユニット８０とが基台１１に装着され、可動ユニット２０が、光軸に対して相対的に第１位置と第２位置との間で移動可能に構成され、軸心が移動方向と平行に基台１１に固定され且つ基台１１に設けられた移動機構７０の駆動で軸心回りに回転するスパイラルロッド７１と、支柱部材２１に設けられスパイラルロッド７１が貫通する一対の対向当止部材と、各対向当止部材間でスパイラルロッド７１に螺着されるナット体７４と、ナット体７４と各対向当止部材との間にそれぞれ介設され、当該ナット体７４および各対向当止部材間に付勢力を発生させるコイルスプリング７５とが設けられている。【選択図】  図１
2004266645.tif 000002
【特許請求の範囲】
【請求項１】
光源部からの照射光の光軸上に搬送される写真フィルムから得られたフィルム光像を撮像する受光部を備えた筐体と、撮像すべき複数種類の写真フィルムを搬送する搬送部とが基台に装着され、前記筐体および搬送部のいずれか一方が、前記光軸に対して相対的に第１搬送位置と第２搬送位置との間で移動可能に構成されてなる画像読取装置において、
軸心が前記移動方向と平行に前記基台に固定され且つ前記基台に設けられた駆動部の駆動で軸心回りに回転するスパイラルロッドと、前記筐体および搬送部のいずれか一方に設けられ前記スパイラルロッドが貫通する一対の対向当止部材と、各対向当止部材間で前記スパイラルロッドに螺着されるナット体と、前記ナット体と前記各対向当止部材との間にそれぞれ介設され、当該ナット体および各対向当止部材間に付勢力を発生させる付勢部材とが設けられ、
前記各付勢部材は、前記ナット体と前記対向当止部材との間に距離に応じて付勢力が変化するものであることを特徴とする画像読取装置。
【請求項２】
前記基台には、前記筐体または搬送部が第１搬送位置または第２搬送位置に位置設定された状態で当止するストッパがそれぞれ設けられていることを特徴とする請求項１記載の画像読取装置。
【請求項３】
前記付勢部材は、前記スパイラルロッドに外嵌されるコイルスプリングであることを特徴とする請求項２記載の画像読取装置。
【請求項４】
前記対向当止部材の少なくとも一方に前記ナット体を備えたスパイラルロッドの内装される筒体が固定され、前記筒体には、筒心方向に延びる長孔が穿設され、前記ナット体には、前記長孔を介して外部に突出する突出片が設けられていることを特徴とする請求項２または３記載の画像読取装置。
【発明の詳細な説明】
【０００１】
【発明の属する技術分野】
本発明は、搬送されつつある写真フィルムＦに照射された光源部からの光束を受光してフィルム画像を撮像する受光部を備えた筐体と、撮像すべき２種類の写真フィルムＦに応じて筐体を第１位置と第２位置との間で往復動可能に支持する基台とを備えてなる画像読取装置に関するものである。
【０００２】
【従来の技術】
従来、図８に示すような、写真フィルムＦのフィルム画像を走査することにより得られた光像を受光センサ９０１で受光し、当該受光画像を電気信号に変換して焼付装置などの写真処理装置へ出力するようになされた画像読取装置９００が知られている。受光センサ９０１としては、複数の受光素子（ＣＣＤ（ｃｈａｒｇｅ  ｃｏｕｐｌｅｄ  ｄｅｖｉｃｅ））が一列に複数配列されてなる、いわゆるＣＣＤラインセンサが使用されるのが一般的である。
【０００３】
かかる画像読取装置９００には、モータ９０２からの駆動力を受けて写真フィルムＦを所定のタイミング（一般的に一定のスピード）で搬送する搬送部９０６によって搬送されてきた写真フィルムＦに対し、下方からフィルム面照射用の光を発光する光源部９０３が設けられている。そして、写真フィルムＦを透過した光源部９０３からの光は、レンズ等を備えるレンズユニット９０４を通って受光部９０５へ入光され、ここで受光センサ９０１に入力されて電気信号に変換されるようになっている。前記搬送部９０６として、複数種類の写真フィルムＦを搬送するべく２系統の搬送路（第１搬送路９０７おいび第２搬送路９０８）を並設したものが知られている。
【０００４】
また、通常、前記光源部９０３、レンズユニット９０４および受光部９０５は、この順番で縦方向に並設され、これら各部が一体的に取り付けられた筐体９０９を有する可動ユニット９９０が形成されている。かかる可動ユニット９９０は、その底部に設けられた被ガイドロッド９１２が、箱状の基台９１０内で側壁間に架設されたリニアレール９１１にガイドされることにより水平方向へ移動して、第１および第２搬送路９０７，９０８の内の選択された方（図８に示す例では第２搬送路９０８が選択されている。）の搬送路上の写真フィルムＦに対応させ得るようになされている。かかる可動ユニット９９０の位置変更によって１台の画像読取装置１０で複数種類の写真フィルムＦに対応することができる。
【０００５】
そして、筐体９０９の下部には、当該筐体９０９の移動方向へ延びるスパイラルロッド９１３が螺着されている。このスパイラルロッド９１３は、搬送部９０６と反対側の基台９１０の側壁に抜け止め状態で軸心回りに回転自在に支持されているとともに、モータ９０２の駆動が複数のギヤ９１４を介して伝達されるようになっている。したがって、モータ９０２を正逆駆動させることにより、その駆動回転がギヤ９１４を介してスパイラルロッド９１３に伝達され、これによるスパイラルロッド９１３の正逆回転で筐体９０９は正逆移動して可動ユニット９９０が第１搬送路９０７に対応した第１位置と、第２搬送路９０８に対向した第２位置とで位置変更し得るようになっている。
【０００６】
基台９１０の適所には、可動ユニット９９０が第１位置および第２位置に位置設定された状態で筐体９０９と当止する一対のストッパ９１５が設けられているとともに、可動ユニット９９０が第１または第２位置に位置したことを検出する位置センサ９１６が設けられ、この位置センサ９１６からの検出信号に基づいてモータ９０２の駆動が停止されるようになっている。
【０００７】
【発明が解決しようとする課題】
しかしながら、上記のような従来の画像読取装置にあっては、筐体９０９がストッパ９１５に当止したことが位置センサ９１６によって検出され、これによってモータ９０２が停止された状態になっても、互いに螺合しているスパイラルロッド９１３の雄螺子と筐体９０９の雌螺子との間には僅かではあるが遊びが存在するため、この遊びによって筐体９０９は、搬送部９０６の駆動によるフィルム送り時の振動などによってがたつき易くなっている。
【０００８】
そして、可動ユニット９９０が設定位置でがたつくと、光源部９０３から照射された光の光路が写真フィルムＦの正規の位置からずれてしまい、これによって、数百ｄｐｉという受光素子の高密度を考慮すると、フィルム画像を安定して読み取り得なくなるという不都合が発生する。
【０００９】
本発明は、上記のような状況に鑑みなされたものであり、所定の位置に位置決めされた筐体の位置ずれを確実に阻止することを可能とし、これによってフィルム画像を安定的に撮像し得るようにした画像読取装置を提供することを目的としている。
【００１０】
【課題を解決するための手段】
請求項１記載の発明は、光源部からの照射光の光軸上に搬送される写真フィルムから得られたフィルム光像を撮像する受光部を備えた筐体と、撮像すべき複数種類の写真フィルムを搬送する搬送部とが基台に装着され、前記筐体および搬送部のいずれか一方が、前記光軸に対して相対的に第１搬送位置と第２搬送位置との間で移動可能に構成されてなる画像読取装置において、軸心が前記移動方向と平行に前記基台に固定され且つ前記基台に設けられた駆動部の駆動で軸心回りに回転するスパイラルロッドと、前記筐体および搬送部のいずれか一方に設けられ前記スパイラルロッドが貫通する一対の対向当止部材と、各対向当止部材間で前記スパイラルロッドに螺着されるナット体と、前記ナット体と前記各対向当止部材との間にそれぞれ介設され、当該ナット体および各対向当止部材間に付勢力を発生させる付勢部材とが設けられ、前記各付勢部材は、前記ナット体と前記対向当止部材との間に距離に応じて付勢力が変化するものであることを特徴とするものである。
【００１１】
この発明によれば、駆動部の駆動でスパイラルロッドが回転すると、この回転によってスパイラルロッドに螺合しているナット体が軸心方向に移動し、この移動は付勢部材および押されている側の対向当止部材を介して筐体または搬送部に伝達されるため、これによって筐体または搬送部が移動する。そして、筐体または搬送部が基台に当止した状態でしばらくスパイラルロッドの回転が継続されると、一対の付勢部材の内の筐体または搬送部を押圧している側の付勢部材は圧縮弾性変形するため、これによる付勢力の付与で筐体または搬送部は基台に押し付けられ、この押圧力で筐体または搬送部の設定位置が確実に維持される。
【００１２】
したがって、たとえ搬送部の写真フィルム搬送に起因した振動がスパイラルロッドに伝達されても、スパイラルロッドの雄螺子とナット体の雌螺子との間に存在する遊びが螺子同士の密着で実質的に存在しない状態になっているため、筐体または搬送部の螺合部分でのがたつきが確実に防止され、光源部からの光束が位置ずれすることなく写真フィルムに照射されたのち位置ずれすることなく受光部に向かうことになり、これによって写真フィルムの写真画像は正確に電気信号に変換される。
【００１３】
請求項２記載の発明は、請求項１記載の発明において、前記基台には、前記筐体または搬送部が第１搬送位置または第２搬送位置に位置設定された状態で当止するストッパがそれぞれ設けられていることを特徴とするものである。
【００１４】
この発明によれば、ストッパの存在で筐体または搬送部の第１および第２搬送位置での基台に対する当止状態が安定する。
【００１５】
そして、このような筒体とナット体と付勢部材とで螺着部材を構成することにより、確実な位置決め効果を確保した上で筐体の位置決め構造の簡素化を実現することが可能になり、装置コストの低減化に貢献する。
【００１６】
請求項３記載の発明は、請求項２記載の発明において、前記付勢部材は、前記スパイラルロッドに外嵌されるコイルスプリングであることを特徴とするものである。
【００１７】
この発明によれば、付勢部材としてのコイルスプリングをスパイラルロッドに外嵌することにより、付勢部材の装着状態が確実になるとともに、場所をとらず、装置のコンパクト化に貢献する。
【００１８】
請求項４記載の発明は、請求項２または３記載の発明において、前記対向当止部材の少なくとも一方に前記ナット体を備えたスパイラルロッドの内装される筒体が固定され、前記筒体には、筒心方向に延びる長孔が穿設され、前記ナット体には、前記長孔を介して外部に突出する突出片が設けられていることを特徴とするものである
この発明によれば、筒体から外部に突出したナット体の突出片により当該ナット体は、スパイラルロッド回りの回転が阻止された状態で筒体内の移動が確保される。また、突出片を筐体または搬送部の位置検出の被検出片として利用することが可能になる。
【００１９】
【発明の実施の形態】
図１は、本発明に係る画像読取装置の一実施形態を示す一部切欠き分解斜視図であり、図２は、その組立て斜視図である。また、図３は、図２に示す画像読取装置の側面視の断面図であり、図４は、同正面視の断面図である。なお、図１および図２において、Ｘ−Ｘ方向を副走査方向または前後向といい、特に−Ｘ方向を前方、＋Ｘ方向を後方という。また、Ｙ−Ｙ方向を主走査方向、幅方向または左右方向といい、特に−Ｙ方向を左方、＋Ｙ方向を右方という。これらの方向は、写真フィルムＦの搬送方向を基準にして定義している。
【００２０】
図１〜図４に示すように、画像読取装置１０は、所定形状、例えば箱形の基台１１に移動可能に装着される、写真フィルムＦのフィルム画像を読み取るための可動ユニット２０と、この可動ユニット２０の移動をガイドするガイド部材としてのガイドレール６０と、このガイドレール６０によってガイドされる可動ユニット（筐体）２０を正逆移動させる移動機構７０と、基台１１に固定される、写真フィルムＦを搬送するための搬送ユニット（搬送部）８０とを備えた基本構成を有している。
【００２１】
前記基台１１は、図１に示すように、矩形状を呈した底板１２と、この底板１２の前方縁部から立設された前方板１３と、同後方縁部から立設された後方板１４と、同左方縁部から立設された左方板１５と、同右方縁部から立設された右方板１６と、前記前方板１３、後方板１４、左方板１５および右方板１６に支持された天板１７とを備えて構成されている。
【００２２】
天板１７の略右側半分には、下部が基台１１内に装着された可動ユニット２０の、後述する支柱本体２２を上方へ突出させるための支柱本体用開口１７１が設けられているとともに、この支柱本体用開口１７１の左方位置には、後述する光源部３０からの光束を通過させるための主走査方向に長尺の光束通過用開口１７２が設けられている。
【００２３】
そして、支柱本体用開口１７１の左方縁部には、天板１７の一部が上方に向けて折り曲げ処理されることによって形成された左方当止板１８が設けられている一方、支柱本体用開口１７１の右方位置には、右方板１６の上縁部の一部が上方に向けて延設されることによって形成した右方当止板１９が設けられ、これによって支柱本体２２は、これらの当止板１８，１９間で支柱本体用開口１７１内を左右方向（主走査方向）に移動可能になっている。
【００２４】
前記可動ユニット２０は、搬送ユニット８０による搬送中の写真フィルムＦに向けて光を照射する光源部３０と、この光源部３０からの光照射で写真フィルムＦを透過した透過光が入光される光学系４０と、この光学系４０を通過した光束を受光して電気信号に変換する受光部５０とが、基台１１に移動可能に取り付けられた支柱部材（筐体）２１に装着されることによって形成されている。
【００２５】
前記支柱部材２１は、基台１１に立設される角柱状の支柱本体２２と、この支柱本体２２の底部から左方に向けて延設された前後方向一対の被支持部としての被ガイド角材２３とを備えている。被ガイド角材２３は、ガイドレール６０によってガイドされるものであり、可動ユニット２０は、このガイドに基づき基台１１に対し幅方向に正逆移動するようになっている。
【００２６】
また、前記支柱本体２２の下部は、前後方向に分かれた二股状に形成され、一対の分割体２４が前後で対向した状態になっている。そして、各分割体２４間に移動機構７０を装着する装着空間２５が形成されている。
【００２７】
装着空間２５の上部には、支柱本体２２の左面から突設された棚部２６が設けられ、この棚部２６の上面には、下方に向けて凹設された位置決め凹部２６１が凹設されているとともに、支柱本体２２の頂部には、上方に向けた位置決め突起２２１が突設されている。これらの位置決め凹部２６１および位置決め突起２２１は、支柱本体２２に装着される後述の光学系装着容器４１の位置決めを行うためのものである。前記一対の被ガイド角材２３は、各分割体２４の底部からそれぞれ左方へ向けて突出するように設けられている。
【００２８】
また、前記一対の分割体２４における左面側で且つ天板１７より若干上方位置には、光束通過用開口１７２を介して光源部３０からの光路に外乱光が入光するのを防止するための遮光部材２７が設けられている。この遮光部材２７は、一対の分割体２４間から主走査方向の左方へ向けて突設された支持棒２７１と、この支持棒２７１の先端からさらに左方に向けて突設された遮光部材本体２７２とからなっている。遮光部材本体２７２は、前後方向に向けて切断した場合の断面視で台形状を呈し、その中央部に左右方向へ延びる上下に貫通した光束通過口２７３が設けられている。
【００２９】
そして、かかる遮光部材２７は、可動ユニット２０が、搬送ユニット８０の後述する第１搬送系統８２に対応した第１位置に位置設定された状態で、光束通過口２７３が搬送ユニット８０の天板側第１光束通過孔８２１に上下で対向する一方、第２搬送系統８３に対応した第２位置に位置設定された状態で、光束通過口２７３が搬送ユニット８０の天板側第２光束通過孔８３１に上下で対向するように寸法設定されている。
【００３０】
前記光源部３０は、支柱本体２２の一対の分割体２４下部間に支持された状態で左方へ向けて突設された光源支持部材３１と、この光源支持部材３１に支持された光源ランプ３２とを備えている。光源支持部材３１は、被ガイド角材２３より下方に位置設定されているとともに、少なくとも写真フィルムＦの幅寸法より長尺に寸法設定されている。かかる光源支持部材３１は、左方から目視した状態で凹面状に形成され、その内面側に凹面鏡が形成されている。そして前記光源ランプ３２が凹面鏡の焦点位置に配置されることにより、当該光源ランプ３２からの光を凹面鏡での反射後に平行光束に変換している。
【００３１】
前記光源ランプ３２は、本実施形態においては、可視光成分および赤外光成分の波長成分光を発するものが採用されている。かかる光源ランプ３２を採用したのは、写真フィルムＦを透過する光の内、可視光は写真フィルムＦ上の画像に反応するのはもちろん、写真フィルムＦに付いている傷などにも反応するのに対し、赤外光はフィルム上の画像には反応しないが、写真フィルムＦに付いている傷には反応する性質を有しているため、両光成分を同時に写真フィルムＦに照射してその透過光を可視光成分と赤外光成分とに分光して読み取っておくことにより、その後に行われる焼き付け処理時に所定の画像処理技術に基づいて傷の補修を行うことができるためである。
【００３２】
前記光学系４０は、支柱本体２２に装着される光学系装着容器４１と、この光学系装着容器４１に着脱自在に装着される光学部４５とを備えて構成されている。光学系装着容器４１は、上面が開口した有底の筒体によって形成され、周壁４２の平面視で円弧状を呈した先端部（図１の左方）上縁に左方へ向かって突設された突設片４３が設けられているとともに、この突設片４３に上方へ突設された位置決め螺子４３１が設けられている。この位置決め螺子４３１は、光学部４５の位置決めを行うためのものである。
【００３３】
また、周壁４２の平面視で直線状を呈した基端部（図１の右方）下縁には、前記支柱本体２２の棚部２６に凹設された前記位置決め凹部２６１に対応する位置決め突起４４が突設され、この位置決め突起４４が支柱本体２２の棚部２６の位置決め凹部２６１に嵌め込まれた状態で、周壁４２の基端側の平板部分が支柱本体２２に螺子止めされることにより、光学系装着容器４１が支柱部材２１の支柱本体２２に位置決め状態で固定されることになる。
【００３４】
前記光学部４５は、光学系装着容器４１の内形状に対応した外観形状を有するハウジング４６と、このハウジング４６に内装されたレンズユニット４７とを備えている。ハウジング４６の天板４６３の先端縁部には、位置決め突片４６１が左方へ向かって突設されているとともに、この位置決め突片４６１の中央部には前記光学系装着容器４１の位置決め螺子４３１に対応した位置決め孔４６２が穿設されている。また、天板４６３の基端側は外方に向かって延設されてこの部分に延設部４６４が形成され、この延設部４６４の中央部に前記支柱本体２２の位置決め突起２２１に対応した位置決め孔４６５が穿設されている。
【００３５】
そして、延設部４６４の位置決め孔４６５を支柱本体２２の位置決め突起２２１に外嵌しつつ、位置決め突片４６１の位置決め孔４６２を光学系装着容器４１の突設片４３に突設された位置決め螺子４３１に外嵌した上でナットで締結することにより、光学部４５が位置決め状態で光学系装着容器４１に装着されるようになっている。
【００３６】
前記レンズユニット４７は、光源部３０の光源支持部材３１の内面側に装着された凹面鏡で反射された光源ランプ３２からの光束を受光部５０の所定の位置で結像させるためのものであり、複数枚のレンズが重ね合わされて形成されている。かかるレンズユニット４７から導出された光束を受光部５０へ導くために、天板４６３には、主走査方向へ延びる光束透過用長孔４６６が穿設されている。
【００３７】
前記受光部５０は、レンズユニット４７を透過した光束を受光し、当該光束を光の強さに比例した電気信号に変換するものであり、受光部１５は、主走査方向から見てＬ字状を呈したケーシング５１と、このケーシング５１に付設される一対のＣＣＤ支持プレート５２と、各ＣＣＤ支持プレート５２にそれぞれ搭載される一対のＣＣＤラインセンサ５３と、前記ハウジング４６に内装されたコールドミラー５４とを備えて構成されている。
【００３８】
前記ケーシング５１は、幅方向一対のＬ字状側板と、これらのＬ字状側板における前方上部の側面視で直角状になった縁部間に架設された曲折前面板と、各Ｌ字状側板の後方縁部間に架設された背面板とを備え、Ｌ字状側板、曲折前面板および背面板によって囲繞された空間にレンズユニット４７を透過した光束の光路が形成されるようになっている。かかるケーシング５１は、当該ケーシング５１と一体の連結板５５がハウジング４６の天板４６３にボルト止め等によって接合されることによりハウジング４６に装着されている。
【００３９】
前記コールドミラー５４は、可視光を反射させるのに対し、赤外光を透過させる性質を有するものであり、レンズユニット４７からの光束の光路に対して前後方向へ４５°傾斜して配設されている。したがって、写真フィルムＦを透過した光源部３０からの光束のうち、その可視光成分はコールドミラー５４で反射してその光路を直角に変換される一方、赤外光成分はコールドミラー５４を透過して直進する。
【００４０】
そして、コールドミラー５４により直角に光路を変えられた可視光は、ＣＣＤラインセンサ５３の内の前方側に設けられた可視光用ラインセンサ５３１へ入力される一方、コールドミラー５４を透過した赤外光は、コールドミラー５４の直上に設けられた赤外光用ラインセンサ５３２へ入力されるようになっている。これらのラインセンサ５３１，５３２に入力された光は、それぞれ電気信号に変換されて、例えば写真処理装置に出力されるようになっている。
【００４１】
前記ガイドレール６０は、基台１１に装着された支柱部材２１の左右方向への移動を案内するものであり、基台１１内の前後方向の略中央位置において、略左半分の位置に前記支柱部材２１の一対の被ガイド角材２３に対応するように主走査方向に向けて一対で設けられている。かかるガイドレール６０は、角材によって形成され、その上面に前記被ガイド角材２３が摺接状態で嵌め込まれる左右方向に延びたガイド溝６１が凹設されている。
【００４２】
かかるガイドレール６０は、その両端部が所定の固定金具６２を介して基台１１の天板１７に極めて接近した位置で一体に固定されている。したがって、搬送ユニット８０の駆動で発生した振動は、天板１７、固定金具６２およびガイドレール６０を介して直ちに被ガイド角材２３に伝達されるため、当該被ガイド角材２３と一体の可動ユニット２０は、搬送ユニット８０と同一の位相で振動することになる。
【００４３】
図５は、移動機構７０の一実施形態を示す一部切欠き斜視図であり、（イ）は、分解斜視図、（ロ）は、組立て斜視図である。以下、図５を基に、必要に応じて図１〜図４を参照しながら移動機構７０について詳細に説明する。移動機構７０は、支柱本体２２の分割体２４間に介設されるスパイラルロッド７１と、このスパイラルロッド７１に外嵌される緩衝介設体７２と、前記スパイラルロッド７１を軸心回りに駆動回転させる駆動モータ７６と、この駆動モータ７６の駆動をスパイラルロッド７１に伝達するギヤ群７７とを備えて構成されている。
【００４４】
スパイラルロッド７１は、その右端部から同心で突設された中心軸７１１を有しており、この中心軸７１１が軸受け部材を介して基台１１の右方板１６に貫通され、これによって軸心回りに回転自在になっている。かかるスパイラルロッド７１の中心軸７１１には、ギヤ群７７の内の一つであるロッド用ギヤ７１２が一体回転可能に外嵌され、これによって駆動モータ７６の駆動回転がギヤ群７７およびロッド用ギヤ７１２を介してスパイラルロッド７１に伝達されるようになっている。
【００４５】
前記緩衝介設体７２は、有底の円筒体７３と、この円筒体７３に内装されるナット体７４と、ナット体７４が円筒体７３に内装された状態で当該ナット体７４を左右から挟持する一対のコイルスプリング（付勢部材）７５とを備えて構成されている。
【００４６】
前記円筒体７３は、外径寸法が前記一対の分割体２４間の隙間寸法より僅かに小さく寸法設定されているとともに、内径寸法がスパイラルロッド７１の径寸法より大きめに設定され、これによってスパイラルロッド７１を挿通し得るようになっている。かかる円筒体７３の底部（左方側）の中心位置には、スパイラルロッド７１を摺接状態で挿通し得る挿通孔７３１が穿設されているとともに、周面の上下位置には、右縁部から筒心方向に向けて切り込まれて形成した一対の切込み溝７３２が設けられている。かかる円筒体７３には、基端側（図５の右方）の縁部に同心でされたフランジ７３３が設けられている。このフランジ７３３は、支柱本体２２の装着空間２５に内装される緩衝介設体７２を一対の分割体２４の右縁部間を塞ぐように架設された塞ぎ板２８に固定するためのものである。
【００４７】
前記ナット体７４は、外径寸法が円筒体７３の内径寸法より僅かに小さい円柱状のナット体本体７４１と、このナット体本体７４１の周面から上下に向けて突設された一対の突設フィン７４２とからなっている。突設フィン７４２は、ナット体本体７４１が円筒体７３に内装された状態で、切込み溝７３２に嵌め込まれるものである。かかる突設フィン７４２は、切込み溝７３２に嵌め込まれた状態で、切込み溝７３２から外部に突出するように径方向の長さ寸法が設定されているため、本実施形態では、一対の分割体２４の対向面の一方側に設けられた左右一対の位置センサ７９によるナット体７４の位置検出に利用されている。
【００４８】
そして、ナット体本体７４１は、長さ寸法が円筒体７３の筒心方向の内寸法の略１／４に寸法設定され、これによって円筒体７３内で左右方向に正逆移動し得るようになっている。かかるナット体本体７４１の各端面には、円筒体７３内に装着される前記コイルスプリング７５を嵌め込むための環状溝７４３がそれぞれ凹設されている。
【００４９】
かかる緩衝介設体７２の組み付けについては、図５の（イ）に矢印で示すように、まず、支柱本体２２の塞ぎ板２８に穿設された所定の孔に差し通されたスパイラルロッド７１にコイルスプリング７５を外嵌し、引き続きナット体７４およびもう１つのコイルスプリング７５をスパイラルロッド７１に順次嵌め込んだ状態で、突設フィン７４２が切込み溝７３２にはまり込むように調節しながらナット体７４を円筒体７３に挿入していく。
【００５０】
ついで、スパイラルロッド７１の先端を円筒体７３の挿通孔７３１に挿通した状態で、緩衝介設体７２を支柱本体２２の一対の分割体２４間の装着空間２５に内装していき、フランジ７３３を塞ぎ板２８にボルト止めすることにより、図５の（ロ）に示すように、スパイラルロッド７１および塞ぎ板２８に対する緩衝介設体７２の組み付けが完了する。
【００５１】
また、スパイラルロッド７１の中心軸７１１は、基台１１の右方板１６に貫通され、この状態の中心軸７１１に右方板１６の外側でロッド用ギヤ７１２が装着固定される。
【００５２】
一方、前記駆動モータ７６は、基台１１の後方板１４の右側部外方に装着され、右方板１６を貫通した駆動軸７６１と前記ロッド用ギヤ７１２との間にギヤ群７７が介設されることにより、駆動モータ７６の駆動が駆動軸７６１、ギヤ群７７およびロッド用ギヤ７１２を介してスパイラルロッド７１に伝達されるようになっている。
【００５３】
そして、基台１１の前記左方当止板１８および右方当止板１９には、支柱本体２２と対向した位置にストッパ片１８１，１９１がそれぞれ付設され、支柱本体２２は、これらのストッパ片１８１，１９１に当止することにより確実な停止位置が安定した状態で確保されるようになっている。
【００５４】
また、前記位置センサ７９は、一対の分割体２４の対向面の一方側においてナット体７４の可動範囲の左端部と右端部とに対応する位置にそれぞれ設けられている。したがって、ナット体７４が可動範囲の左端部に位置しているか右端部に位置しているかがこれらの位置センサ７９によって検出され、この検出信号によって円筒体７３の駆動が停止されるようになっている。
【００５５】
このように構成された移動機構７０によれば、駆動モータ７６の駆動によるギヤ群７７を介したスパイラルロッド７１を軸心回りに回転させることにより、スパイラルロッド７１に螺合しているナット体７４が軸心方向へ向けて移動することになる。このナット体７４の移動は、コイルスプリング７５および円筒体７３を介して当該円筒体７３と一体の支柱本体２２に伝達され、これによって支柱部材２１が主走査方向に向けて移動する。
【００５６】
そして、支柱本体２２がいずれかのストッパ片１８１，１９１に当止した状態でスパイラルロッド７１の回転が継続されていると、この回転によってナット体本体７４１はコイルスプリング７５の付勢力に抗して当該コイルスプリング７５を圧縮させながら円筒体７３内をさらに進行する。これによって支柱本体２２は、コイルスプリング７５とストッパ片１８１，１９１とによって弾性的に適切な押圧挟持が行われる状態に近づいてくる。
【００５７】
その後、ナット体７４が可動範囲の終点位置に到達すると、位置センサ７９がそれを検出し、この検出信号に基づいて駆動モータ７６が停止されるため、支柱本体２２のコイルスプリング７５とストッパ片１８１，１９１とによる弾性的な押圧挟持状態が維持されるため、支柱部材２１は、遊びのない状態（基台１１に対して支柱本体２２が、がたつかない状態）で支柱本体用開口１７１における主走査方向のいずれかの端部に確実な位置決めされた状態になる。
【００５８】
そして、本実施形態においては、一対のコイルスプリング７５がそれぞれ当止する本発明の一対の対向当止部材は、一方が円筒体７３の端壁（図５における円筒体７３の左方の端壁）であり、同他方が支柱本体２２の塞ぎ板２８である。
【００５９】
前記搬送ユニット８０は、受光部５０によって読み取るべき写真フィルムＦを搬送するためのものであり、本実施形態では２種類の写真フィルムＦに対応し得るように構成されている。かかる搬送ユニット８０は、図１〜図４に示すように、ケーシング８１と、このケーシング８１に内装された２種類の写真フィルムＦにそれぞれ対応する２系統の搬送系統（第１搬送系統８２および第２搬送系統８３）とを備えて構成されている。
【００６０】
前記ケーシング８１は、基台１１の天板１７における左方当止板１８より左方部分と略同一の面積を備えた底板８１１と、この底板８１１の左右の縁部から立設された左右一対の側板８１２と、各側板８１２の前縁部間に架設された前面板８１３と、各側板８１２の後縁部間に架設された背面板８１４と、これらの側板８１２、前面板８１３および背面板８１４の各上縁部に架設された天板８１５とを備えている。
【００６１】
各側板８１２は、門形に形状設定されているとともに、底板８１１の前縁部より前方位置および後縁部より後方位置には、いずれも各側板８１２の下方に突出した形状に沿うように板体が延設され、これによってこれらの部分に隙間が形成されないようになされている。そして、特に搬送ユニット８０の前部の下方に突出した部分の内部に写真フィルムＦを巻き取るための巻取り空間８１６が形成されている。
【００６２】
また、天板８１５には，前記光源ランプ３２から照射される光束に対応した位置に、当該光束を通過させる主走査方向に長尺の一対の光束通過孔（第１搬送系統８２に対応した天板側第１光束通過孔８２１および第２搬送系統８３に対応した天板がわ第２光束通過孔８３１）がそれぞれ設けられているとともに、天板８１５の前方部分は開閉可能な蓋体８１６とされている。
【００６３】
また、背面板８１４には、第１および第２搬送系統８２，８３に応じて写真フィルムＦをケーシング８１内に引き入れるための主走査方向に延びる一対のフィルム引入れ口８１７が開口されている。
【００６４】
そして、前記巻取り空間８１６内の適所には、第１および第２搬送系統８２，８３に対応して２台のフィルム巻取りモータ８４が設けられているとともに、これらのフィルム巻取りモータ８４によって駆動される２台のフィルム巻取りリール８５が設けられ、各フィルム引入れ口８１７を通ってケーシング８１内に引入れられた写真フィルムＦは、フィルム巻取りモータ８４の駆動によるフィルム巻取りリール８５の軸心回りの回転によって当該フィルム巻取りリール８５に順次巻き取られるようになっている。
【００６５】
また、フィルム引入れ口８１７からフィルム巻取りリール８５に到るフィルムの搬送路には、写真フィルムＦの幅方向の各縁部を挟持する搬送ローラ対８６が複数設けられている。各搬送ローラ対８６には、前記フィルム巻取りモータ８４の回転駆動を伝達する図略のタイミングベルトが張設され、これによる搬送ローラ対８６の回転で当該搬送ローラ対８６に挟持された写真フィルムＦの定速搬送が確保されるようになっている。
【００６６】
また、ケーシング８１の底板８１１には、前記可動ユニット２０の遮光部材２７に対応した位置が上方に向けて凹没されることによって形成した正面視で台形状の凹没部８１８が設けられ、搬送ユニット８０が基台１１に装着された状態でこの凹没部８１８が摺接状態で遮光部材２７に被さるようになされている。
【００６７】
そして、かかる凹没部８１８の天板には、下方で天板側第１光束通過孔８２１と対向した底板側第１光束通過孔８２２と、同天板側第２光束通過孔８３１に対向した底板側第２光束通過孔８３２とが穿設されている。
【００６８】
そして、搬送ユニット８０は、前方板１３上の所定位置に装着された状態で、底板８１１が螺子止めその他で一体的に固定され、これによって可動ユニット２０に対し確実な位置決めが行われるようになっている。
【００６９】
このように構成された画像読取装置１０によれば、駆動モータ７６の駆動でスパイラルロッド７１を介して可動ユニット２０を搬送ユニット８０の第１搬送系統８２に対応した第１位置と、同第２搬送系統８３に対応した第２位置との間で位置変更することができる。
【００７０】
そして、第１搬送系統８２に適合した種類の写真フィルムＦを読み取るに際しては、可動ユニット２０が第１位置に位置設定される。この状態で写真フィルムＦを第１搬送系統８２側のフィルム引入れ口８１７からケーシング８１内に導入して第１搬送系統８２側のフィルム巻取りリール８５に装着し、第１搬送系統８２側のフィルム巻取りモータ８４の駆動でフィルム巻取りリール８５に巻き取りながら、光源部３０の光源ランプ３２から光を写真フィルムＦに向けて照射すると、この光束は、底板側第１光束通過孔８２２を通って写真フィルムＦを透過する。
【００７１】
この透過光は、天板側第１光束通過孔８２１、遮光部材本体２７２の光束通過口２７３、光学系装着容器４１の光束通過孔４１１および光学部４５のハウジング４６の光束通過孔４５１を通ってレンズユニット４７へ入光される。そして、この光束は、光学部４５のハウジング４６の天板４６３に設けられた光束透過用長孔４６６を通って受光部５０のケーシング５１内に導入され、可視光成分はコールドミラー５４で反射されて可視光用ラインセンサ５３１に受光される一方、赤外光成分はコールドミラー５４を透過して赤外光用ラインセンサ５３２に受光されることになる。
【００７２】
ついで、第２搬送系統８３に適合した種類の写真フィルムＦを読み取るに際しては、駆動モータ７６の駆動により可動ユニット２０が第２位置に位置設定され、この状態で可動ユニット２０が第１搬送系統８２に位置設定され場合と同様の作業が行われることにより、第２搬送系統８３に適合した写真フィルムＦの読み取りが実行される。
【００７３】
図６は、本発明に係る緩衝介設体７２の作用を説明するための説明図であり、（イ）は、可動ユニット２０が第１位置に位置設定された状態、（ロ）は、可動ユニット２０が第１位置から第２位置へ向けて移動しつつある状態、（ハ）は、可動ユニット２０が第２位置に位置設定された状態をそれぞれ示している。なお、図６において、添え字の▲１▼は、画像読取装置１０の概略側面図を示し、添え字の▲２▼は、緩衝介設体７２の側面視の断面図を示している。
【００７４】
まず、図６の（イ）−▲１▼に示すように、可動ユニット２０が第１位置に位置設定された状態では、図６の（イ）−▲２▼に示すように、ナット体７４の突設フィン７４２が左側の位置センサ７９によって位置検出されることによる駆動モータ７６の停止で円筒体７３内を左方に移動し、これによる左側のコイルスプリング７５の圧縮弾性変形で円筒体７３と一体の支柱本体２２の分割体２４が基台１１のストッパ片１８１に当止した状態になっている。これによって搬送ユニット８０の駆動による振動が基台１１を介して緩衝介設体７２およびスパイラルロッド７１に伝達されても、ナット体７４の雌螺子とスパイラルロッド７１の雄螺子とは互いに押圧された状態で密着されているため、たとえ雄螺子と雌螺子との間に遊びが存在しても、この部分でのがたつきは確実に防止される。
【００７５】
つぎに、図６の（ロ）−▲１▼に示すように、駆動モータ７６の駆動によるスパイラルロッド７１の軸心回りの回転で可動ユニット２０が左方へ向けて移動している状態では、支柱本体２２のストッパ片１８１に対する当接が解消されたことにより、図６の（ロ）−▲２▼に示すように、左方のコイルスプリング７５の圧縮弾性変形が解消されることにより、ナット体７４は、円筒体７３内におけるスパイラルロッド７１上の略中央部に位置した状態になっている。スパイラルロッド７１の軸心回りの回転によるナット体７４の移動は、コイルスプリング７５および円筒体７３を介して支柱本体２２に伝達され、これによって可動ユニット２０は左方へ向けて移動することになる。
【００７６】
そして、図６の（ハ）−▲１▼に示すように、可動ユニット２０が第２位置に到達すると、左側の位置センサ７９がナット体７４の突設フィン７４２を検出するまで、ナット体７４の移動が継続され、これによって右側のコイルスプリング７５が、図６の（ハ）−▲２▼に示すように、圧縮弾性変形することになる。位置センサ７９が突設フィン７４２を検出した後の作用については、先に図６の（イ）を基に説明した内容と同様である。
【００７７】
以上詳述したように、本発明の画像読取装置１０は、光源部３０からの照射光の光軸上に搬送される写真フィルムＦから得られたフィルム光像を撮像する受光部５０を備えた可動ユニット２０と、撮像すべき２種類の写真フィルムＦを搬送する搬送ユニット８０とが基台１１に装着され、可動ユニット２０が、光軸に対して相対的に第１位置と第２位置との間で移動可能に構成されてなるものであり、軸心が移動方向と平行に基台１１に固定され且つ基台１１に設けられた移動機構７０の駆動で軸心回りに回転するスパイラルロッド７１と、支柱部材２１に設けられスパイラルロッド７１が貫通する一対の対向当止部材と、各対向当止部材間でスパイラルロッド７１に螺着されるナット体７４と、ナット体７４と各対向当止部材との間にそれぞれ介設され、当該ナット体７４および各対向当止部材間に付勢力を発生させるコイルスプリング７５とが設けられてなるものである。
【００７８】
したがって、駆動モータ７６の駆動でスパイラルロッド７１が回転すると、この回転によってスパイラルロッド７１に螺合しているナット体７４が軸心方向に移動し、この移動はコイルスプリング７５および押されている側の対向当止部材を介して支柱部材２１に伝達されるため、これによって支柱部材２１が移動する。そして、支柱部材２１が基台１１に当止した状態でしばらくスパイラルロッド７１の回転が継続されると、一対のコイルスプリング７５の内の支柱部材２１を押圧している側のコイルスプリング７５は圧縮弾性変形するため、これによる付勢力の付与で支柱部材２１は基台１１に押し付けられ、この押圧力で支柱部材２１の設定位置が確実に維持される。
【００７９】
したがって、たとえ搬送ユニット８０の写真フィルムＦ搬送に起因した振動がスパイラルロッド７１に伝達されても、スパイラルロッド７１の雄螺子とナット体７４の雌螺子との間に存在する遊びが螺子同士の密着で実質的に存在しない状態になっているため、支柱部材２１の螺合部分でのがたつきが確実に防止され、光源部３０からの光束が位置ずれすることなく写真フィルムＦに照射されたのち位置ずれすることなく受光部５０に向かうことになり、これによって写真フィルムＦの写真画像は正確に電気信号に変換される。
【００８０】
また、基台１１には、支柱部材２１が第１位置または第２位置に位置設定された状態で当止するストッパがそれぞれ設けられているため、ストッパの存在で支柱部材２１の第１および第２位置での基台１１に対する当止状態が安定する。
【００８１】
そして、このような筒体とナット体７４とコイルスプリング７５とで螺着部材を構成することにより、確実な位置決め効果を確保した上で支柱部材２１の位置決め構造の簡素化を実現することが可能になり、装置コストの低減化に貢献することができる。
【００８２】
また、対向当止部材として支柱本体２２の塞ぎ板２８を採用するとともに、ナット体７４を備えたスパイラルロッド７１の内装される円筒体７３を塞ぎ板２８に固定し、円筒体７３には、筒心方向に延びる切込み溝７３２を設け、ナット体７４には、切込み溝７３２を介して外部に突出する突設フィン７４２を設けたため、円筒体７３から外部に突出したナット体７４の突設フィン７４２により当該ナット体７４は、スパイラルロッド７１回りの回転が阻止された状態で円筒体７３内の移動を確保することができる。また、突設フィン７４２を支柱部材２１の位置検出の被検出片として利用することができる。
【００８３】
本発明は、上記の実施形態に限定されるものではなく、以下の内容をも包含するものである。
【００８４】
（１）上記の実施形態においては、可動ユニット２０および搬送ユニット８０の内の可動ユニット２０が位置変更可能に構成されているが、本発明は、可動ユニットを位置変更可能に構成することに限定されるものではなく、搬送ユニットを位置変更可能に構成してもよい。
【００８５】
図７は、画像読取装置１０１の他の実施形態を示す概略断面図であり、搬送ユニット８０１を位置変更可能に構成したものである。すなわち、この実施形態においては、先の実施形態の可動ユニット２０に代えて基台１１に固定された固定ユニット２０１が採用されているとともに、先の実施形態の搬送ユニット８０が第１搬送系統８２，８３の選択に応じて位置変更第１位置と第２位置との間で位置変更可能（移動可能）に構成されている（図７に示す例では搬送ユニット８０１は第２位置に位置設定されている）。
【００８６】
そして、搬送ユニット８０１を移動可能にするために、この実施形態においては、基台１１の天板１７にガイドレール６０が敷設され、これによって搬送ユニット８０１が図７における左右方向に移動可能になされている一方、固定ユニット２０１は、搬送ユニット８０１の位置変更に対応し得るように基台１１に固定されているのである。
【００８７】
また、搬送ユニット８０１を移動可能とするために、搬送ユニット８０１のケーシング８１の図７における左端部に先の実施形態と同様の緩衝介設体７２が設けられ、この緩衝介設体７２にスパイラルロッド７１が貫通した状態で螺着されている。緩衝介設体７２の構造については先の実施形態のものと実質的に同一であるため、ここでの詳細説明は省略する。
【００８８】
この実施形態の画像読取装置１０１によれば、先の実施形態の可動ユニット２０に代えて搬送ユニット８０１の方を可動とした点を除き、先の実施形態の画像読取装置１０と同様の可動体（先の実施形態の場合は可動ユニット２０、この実施形態の場合は搬送ユニット８０１）の第１位置および第２位置での位置決めが確実に行われるという作用効果を得ることができる。
【００８９】
（２）上記の実施形態においては、搬送ユニット８０として写真フィルムＦを巻き取りながら走査するものが採用されているが、本発明は、搬送ユニット８０が写真フィルムＦを巻き取りながら走査するものに限定されるものではなく、例えば、ピース処理された短片のフィルムを本発明に適用してもよい。また、フィルムの搬送路を筐体１１内に設けたが、フィルムのスキャニングが可能な形であれば、例えば天板１７上で行ってもよい。
【００９０】
（３）上記の実施形態においては、光源部３０として光源ランプ３２が主走査方向に延びた長尺のものを採用しているが、これに代えて主走査方向に露光領域を変化させるものであってもよい。
【００９１】
（４）上記の実施形態において、搬送ユニット８０の各搬送系統８２，８３にそれぞれ選択的に複数種類の写真フィルムＦを装填し得るように当該搬送ユニット８０を構成してもよい。こうすることによって搬送ユニット８０の汎用性が向上する。
【００９２】
（５）上記の実施形態においては、一対のコイルスプリング７５がそれぞれ当止する本発明の一対の対向当止部材の一方側として円筒体７３の端壁（図５における円筒体７３の左方の端壁）が採用されているとともに、他方側として支柱本体２２の塞ぎ板２８が採用されているが、円筒体７３を採用しない場合には、支柱本体２２と一体の２枚の板体の間にナット体７４と、当該ナット体７４を挟持する一対のコイルスプリング７５とを装着するとともに、２枚の板体を貫通させたスパイラルロッド７１をコイルスプリング７５を介してナット体７４に螺着させるように構成してもよい。
【００９３】
（６）上記の実施形態においては、付勢部材としてコイルスプリング７５が採用されているが、本発明は、付勢部材がコイルスプリング７５であることに限定されるものではなく、特殊に加工された板ばねや、ゴム等の弾性材料を採用してもよい。
【００９４】
（７）上記の実施形態においては、各コイルスプリング７５として圧縮ばねが採用され、ナット体７４は、各コイルスプリング７５によって押圧挟持されているが、こうする代わりに付勢部材として一対の引張りばねを採用し、各引張りばねによってナット体７４をそれぞれ反対方向へ引っ張り付勢するようにしてもよい。
【００９５】
【発明の効果】
本発明の画像読取装置によれば、軸心が前記移動方向と平行に前記基台に固定され且つ前記基台に設けられた駆動部の駆動で軸心回りに回転するスパイラルロッドと、前記筐体および搬送部のいずれか一方に設けられ前記スパイラルロッドが貫通する一対の対向当止部材と、各対向当止部材間で前記スパイラルロッドに螺着されるナット体と、前記ナット体と前記各対向当止部材との間にそれぞれ介設され、当該ナット体および各対向当止部材間に付勢力を発生させる付勢部材とが設けられているため、駆動部の駆動でスパイラルロッドが回転すると、この回転によってスパイラルロッドに螺合しているナット体が軸心方向に移動し、この移動は付勢部材および押されている側の対向当止部材を介して筐体または搬送部に伝達され、これによって筐体または搬送部を移動させることができる。
【００９６】
そして、筐体または搬送部が基台に当止した状態でしばらくスパイラルロッドの回転が継続されると、一対の付勢部材の内の筐体または搬送部を押圧している側の付勢部材は圧縮弾性変形するため、これによる付勢力の付与で筐体または搬送部は基台に押し付けられ、この押圧力で筐体または搬送部の設定位置を確実に維持することができる。
【００９７】
したがって、たとえ搬送部の写真フィルム搬送に起因した振動がスパイラルロッドに伝達されても、スパイラルロッドの雄螺子とナット体の雌螺子との間に存在する遊びが螺子同士の密着で実質的に存在しない状態になっているため、筐体または搬送部の螺合部分でのがたつきが確実に防止され、光源部からの光束が位置ずれすることなく写真フィルムに照射されたのち位置ずれすることなく受光部に向かうことになり、これによって写真フィルムの写真画像を正確に電気信号に変換することができる。
【図面の簡単な説明】
【図１】本発明に係る画像読取装置の一実施形態を示す一部切欠き分解斜視図である。
【図２】図１に示す画像読取装置の組み立て斜視図である。
【図３】図２に示す画像読取装置の側面視の断面図である。
【図４】図２に示す画像読取装置の正面視の断面図である。
【図５】移動機構の一実施形態を示す一部切欠き斜視図であり、（イ）は、分解斜視図、（ロ）は、組立て斜視図である。
【図６】本発明に係る緩衝介設体の作用を説明するための説明図であり、（イ）は、可動ユニットが第１位置に位置設定された状態、（ロ）は、可動ユニットが第１位置から第２位置へ向けて移動しつつある状態、（ハ）は、可動ユニットが第２位置に位置設定された状態をそれぞれ示している。なお、図６において、添え字の▲１▼は、画像読取装置の概略側面図を示し、添え字の▲２▼は、緩衝介設体の側面視の断面図を示している。
【図７】画像読取装置の他の実施形態を示す概略断面図である。
【図８】従来の画像読取装置を示す側面視の概略断図である。
【符号の説明】
１０，１０１  画像読取装置  １１  基台
１２  底板                  １３  前方板
１４  後方板                １５  左方板
１６  右方板                １７  天板
１７１  支柱本体用開口      １７２  光束通過用開口
１８  左方当止板            １８１，１９１  ストッパ片
１９  右方当止板            ２０  可動ユニット
２０１  固定ユニット
２１  支柱部材（筐体）      ２２  支柱本体
２３  被ガイド角材          ２４  分割体
２２１  位置決め突起        ２５  装着空間
２６  棚部                  ２６１  位置決め凹部
２７  遮光部材              ２７１  支持棒
２７２  遮光部材本体        ２７３  光束通過口
３０  光源部                ３１  光源支持部材
３２  光源ランプ            ４０  カメラ部
４１  カメラ装着容器        ４１１  光束通過孔
４２  周壁                  ４３  突設片
４３１  位置決め螺子        ４４  位置決め突起
４５  カメラ                ４５１  光束通過孔
４６  ハウジング            ４６１  位置決め突片
４６２  位置決め孔          ４６３  天板
４６４  延設部              ４６５  位置決め孔
４６６  光束透過用長孔      ４７  レンズユニット
５０  受光部                ５１  ケーシング
５２  ＣＣＤ支持プレート    ５３  ＣＣＤラインセンサ
５３１  可視光用ラインセンサ
５３２  赤外光用ラインセンサ
５４  コールドミラー        ５５  連結板
６０  ガイドレール          ６１  ガイド溝
６２  固定金具
７０  移動機構              ７１  スパイラルロッド
７１１  中心軸              ７１２  ロッド用ギヤ
７２  緩衝介設体            ７３  円筒体
７３１  挿通孔              ７３２  切込み溝
７３３  フランジ            ７３４  挿通孔
７４  ナット体              ７４１  ナット体本体
７４２  突設フィン          ７４３  環状溝
７５  コイルスプリング（付勢部材）
７６  駆動モータ
７６１  駆動軸              ７７  ギヤ群
７９  位置センサ            ８０  搬送ユニット（搬送部）
８１  ケーシング            ８１１  底板
８１２  側板                ８１３  前面板
８１４  背面板              ８１５  天板
８１６  蓋体                ８１７  フィルム引入れ口
８１８  凹没部              ８２  第１搬送系統
８２１  天板側第１光束通過孔
８２２  底板側第１光束通過孔
８３  第２搬送系統          ８３１  天板側第２光束通過孔
８３２  底板側第２光束通過孔
８４  フィルム巻取りモータ
８５  フィルム巻取りリール
８６  搬送ローラ対
【図１】
2004266645.tif 000003
【図２】
2004266645.tif 000004
【図３】
2004266645.tif 000005
【図４】
2004266645.tif 000006
【図５】
2004266645.tif 000007
【図６】
2004266645.tif 000008
【図７】
2004266645.tif 000009
【図８】
2004266645.tif 000010